(57)【要約】  夫々が実質的に平行六面体の形状を有し、２つの大側壁と、２つの小側壁と、下壁と、上壁とを備えた、少なくとも２つの容器を有するタバコ製品のためのパケットにおいて、該パケットは、少なくとも１つの接続パネルと少なくとも２つの付加パネルとを有する外ラッパーを有し、前記容器は少なくとも１つの前記接続パネルにおいて前記外ラッパーに接続され、パケットは更に、第１ヒンジに沿って前記付加パネルの１つにヒンジ結合されてパケットの閉鎖位置と開放位置の間で回転可能な蓋を有し、該蓋は前記閉鎖位置において、前記２つの付加パネルの夫々を、各容器の夫々の大側壁に接触した状態に保持する。【選択図】図２
2015527263.tif 000002
【特許請求の範囲】
【請求項１】
夫々が実質的に平行六面体の形状を有し、２つの大側壁（１１、１１１、２１１）と、２つの小側壁（１２、１１２、２１２）と、下壁（１３、１１３、２１３）と、上壁（１４、１１４、２１４）とを備えた、少なくとも２つの容器（９、１０９、２０９）を有するタバコ製品のためのパケットにおいて、
該パケットは、
少なくとも１つの接続パネル（１７、１１７、２１７）と少なくとも２つの付加パネル（１６、１１６、２１６）とを有する外ラッパー（１５、１１５、２１５）を有し、前記容器（９、１０９、２０９）は少なくとも１つの前記接続パネル（１７、１１７、２１７）において前記外ラッパー（１５、１１５、２１５）に接続され、パケットは更に、第１ヒンジ（８、１０８、２０８）に沿って前記付加パネル（１６、１１６、２１６）の１つにヒンジ結合されてパケット（１、１００、２００）の閉鎖位置と開放位置の間で回転可能な蓋（７、１０７、２０７）を有し、該蓋は前記閉鎖位置において、前記２つの付加パネル（１６、１１６、２１６）の夫々を、各容器（９、１０９、２０９）の夫々の大側壁（１１、１１１、２１１）に接触した状態に保持することを特徴とするパケット。
【請求項２】
前記少なくとも１つの接続パネル（１７、１１７、２１７）は、第２ヒンジ（１８、１１８、２１８）によって夫々の付加パネル（１６、１１６、２１６）にヒンジ結合されることを特徴とする請求項１に記載のパケット。
【請求項３】
接続パネル（１７）が２つの付加パネル（１６）の間に挟まれ、前記容器（９）は夫々の小側壁（１２）によって前記接続パネル（１７）に接続されると共に、夫々の前記大側壁（１１）において相互接触することを特徴とする請求項１又は２に記載のパケット。
【請求項４】
前記パケット（１）が閉じた状態で、前記接続パネル（１７）はパケット（１）の側部（６）を形成することを特徴とする請求項１〜３のいずれか一項に記載のパケット。
【請求項５】
前記接続パネル（１１７、２１７）は、第１連結パネル（１３８、２３８）と第２連結パネル（１３９、２３９）に分割され、各容器（１０９、２０９）は、夫々の大側壁（１１１、２１１）によって夫々の第１接続パネル（１３８、２３８）に接続されると共に、夫々の小側壁（１１２、２１２）によって夫々の第２接続パネル（１３９、２３９）に接続されることを特徴とする請求項１又は２に記載のパケット。
【請求項６】
前記パケット（１００、２００）が閉じた状態で、前記第２接続パネル（１３９、２３９）はパケット（１００、２００）の側部（１０６、２０６）を形成することを特徴とする請求項５に記載のパケット。
【請求項７】
前記第１接続パネル（１３８）は、第３ヒンジ（１３５）に沿って互いにヒンジ結合されることを特徴とする請求項５又は６に記載のパケット。
【請求項８】
中間パネル（２３４）が２つの付加パネル（２１６）の間に挟まれると共に第３ヒンジ（２３５）によって後者にヒンジ結合され、前記第２接続パネル（２３９）は、前記中間パネル（２３４）に対して反対側から夫々の付加パネル（２１６）にヒンジ結合されることを特徴とする請求項５又は６に記載のパケット。
【請求項９】
前記パケット（２００）が閉じた状態で、前記中間パネル（２３４）はパケット（２００）の側部（２０６）を形成することを特徴とする請求項８に記載のパケット。
【請求項１０】
前記蓋（７、１０７、２０７）と接続パネル（１７、１３９、２３９）は、同じ付加パネル（１６、１１６、２１６）にヒンジ結合されることを特徴とする請求項１〜９のいずれか一項に記載のパケット。
【発明の詳細な説明】
【技術分野】
【０００１】
本発明はタバコ製品用パケットに関する。本発明は、硬質型のタバコパケットにおいて特に有効であって、以下、本記述はそれを引用することになるが、これによって本発明の範囲を限定するものではない。
【背景技術】
【０００２】
製造が容易でありかつ使い勝手も簡単で実用的であり、さらに内部のタバコを良好な状態で機械的に保護することで硬質のヒンジ蓋パケットは現在、市場において最も広く行き渡っているタイプである。
【０００３】
硬質のヒンジ蓋式タバコパケットは通常、開口端を有する下方容器と、その下方容器にヒンジ結合され容器に対して開口端の開放位置と閉鎖位置の間で回転可能な蓋とを有する。蓋は、閉鎖位置にある時、パケットを、側面と２つの下壁から形成される平行六面体形状にする。
【０００４】
一般的に、パケットの外表面には、ブランドやパケットに含まれるタバコの説明、健康上のリスクに関する必須の情報や任意の宣伝メッセージが印刷される。また状況によっては、タバコパケットの製造者は、顧客に対してかなりの量の情報を提供しなければならない場合も、パケットの表面は比較的小さく、健康上のリスクに関する必須情報で大きく占められているので、パケットの外表面にそのような情報を十分明確に印刷することは不可能である。この理由から、タバコパケットにリーフレットを付け、パケットの内側に挿入したり、パケットの外側に１つ以上の接着剤スポットによって固定したりすることが通常の慣行である。
【０００５】
上述したタイプのリーフレット付きタバコパケットは、その製造にあたって、包装機にリーフレット材料を送り込むステーションや、リーフレットとパケットを関連付けるためにリーフレットを制御するステーションを設けなければならないために製造費用がかさむ。更に、パケットから分離した形のリーフレットは閲覧に手間がかかるばかりか、仮にパケットの最初の開口時に取り除かれないような場合、ユーザにとっては厄介な代物となる。
【先行技術文献】
【特許文献】
【０００６】
（原文に記載なし）
【発明の概要】
【発明が解決しようとする課題】
【０００７】
本発明の目的は、既知のパケットと比較してより使いやすく、かつ上述した欠点のないタバコ製品用パケットを生産することにある。
【課題を解決するための手段】
【０００８】
従って、本発明は、添付の特許請求の範囲に記載されているように、タバコ製品のためのパケットを提供する。
本発明を、その非限定的実施形態を示す添付図面を参照しながら以下、説明する。
【図面の簡単な説明】
【０００９】
【図１】閉鎖状態での、本発明によって作られた硬質タバコパケットの第１実施形態の前方斜視図である。
【図２】開放状態での、図１の硬質タバコパケットの前方斜視図である。
【図３】閉鎖状態での、本発明によって作られた硬質タバコパケットの第２実施形態の前方斜視図である。
【図４】開放状態での、図３の硬質タバコパケットの前方斜視図である。
【図５】閉鎖状態での、本発明によって作られた硬質タバコパケットの第３実施形態の前方斜視図である。
【図６】開放状態での、図５の硬質タバコパケットの前方斜視図である。
【図７】図１及び図２の硬質タバコパケットを作るために使用されるブランクを示す平面図である。
【図８】図１及び図２の硬質タバコパケットを作るために使用されるブランクを示す平面図である。
【図９】図３及び図４の硬質タバコパケットを作るために使用されるブランクを示す平面図である。
【図１０】図５及び図６の硬質タバコパケットを夫々作るために使用されるブランクの平面図である。
【発明を実施するための形態】
【００１０】
図１及び図２を参照するに、参照番号１は、前壁２と大きな後壁３、上壁４、下壁５及び２側部６からなる平行六面体の形状を実質的に有する硬質タバコパケット全体を示している。
【００１１】
パケット１は、第１ヒンジ８に沿ってヒンジ結合された蓋７を有し、それは閉鎖位置（図１に示す）と開放位置（図２に示す）との間、またはその逆の位置間で回転可能である。
【００１２】
蓋７は実質的に箱型であり、パケット１の閉鎖位置では、上壁４、下壁５及び前壁２を部分的に覆って、パケットの側部６を形成する。
【００１３】
上述した第１ヒンジ８はパケット１の後壁３に位置している。より具体的には、パケット１の主要な長手方向伸長を参照するに、第１ヒンジ８は後壁３の長手方向端縁部の近傍に位置する。
【００１４】
これとは別に、第１のヒンジ８は後壁３の横方向端縁部の近傍に配置することもできる。この場合、パケット１の閉鎖位置では、蓋７が側部６と前壁２を覆い、パケット１の上壁４を形成する。
【００１５】
代わりとなる別の実施形態では、第１ヒンジ８は、パケット１の側部６の横方向端縁部の近傍に位置する。この場合、カバー７は、パケット１の閉鎖位置において、前壁２、後壁３、及び第１ヒンジ８がある側部６とは反対側にある側部６を部分的に覆い、パケット１の上壁４を形成する。
【００１６】
パケット１は少なくとも２つのタバコ容器９を備え、夫々が、正しく並べられたタバコの一群を有する。
【００１７】
各容器９は平行六面体の形状を有し、２つの大側壁１１、２つの小側壁１２、下壁１３及び上壁１４を有する。
【００１８】
好ましくは、正しく並べられたタバコ群を保護して品質や香りを維持するように、夫々の容器９はそれに関連して開閉する蓋を有する。
【００１９】
パケット１の本実施形態によれば、２つの容器９は、夫々の大側壁１において相互接触する。より具体的には、容器９は互いに対して相互接続される。
【００２０】
その代わりとして、２つの容器９は、容器９の双方に含まれるタバコ群の合計に等しい数のタバコからなる、正しく並べられたタバコ群を有する単一の容器と置き換えることができる。
【００２１】
容器９の上壁１４はパケット１の上壁４を成し、下壁１３はパケット１の下壁５を成す。
【００２２】
パケット１は、２つの容器９を包装するためにデザインされた外ラッパー１５を有している。
【００２３】
外ラッパー１５は２つの付加パネル１６を有する。
【００２４】
一般的に、パケット１の別の実施形態において、パケット１の外ラッパー１５は少なくとも２つの付加パネル１６を有する。
【００２５】
蓋７は、第１ヒンジ８に沿って２つの付加パネル１６の一方にヒンジ結合される。
【００２６】
有利な点として、パケット１の内側に情報リーフレットを挿入するように、付加パネル１６は、それらを含むようにデザインされた各ポケット１９（なくとも良い）を有する。
【００２７】
好ましくは、ポケット１９は、パケット１が閉鎖状態の場合には消費者には見えないように、付加パネル１６の内壁上に配置されている。
【００２８】
或いは又、付加パネルはポケット１９を持たず、例えば接着剤のスポットを用いることで、情報リーフレットを付加パネル１６にすることができる。
【００２９】
外ラッパー１５は又、２つの付加パネル１６間に挟まれた接続パネル１７を有する。一般的に、パケット１の別実施形態では、パケット１の外ラッパー１５は１つ以上の接続パネル１７を有することが可能である。
【００３０】
パケット１の閉鎖状態では、接続パネル１７はパケット１の側部６を構成する。
【００３１】
接続パネル１７は、第２ヒンジ１８ヒンジによって夫々の付加パネル１６にヒンジ結合される。
【００３２】
付加パネル１６は双方共、接続パネル１７の両側において夫々の第２ヒンジ１８に沿って接続パネル１７にヒンジ結合される。より具体的には、第２ヒンジ１８は夫々、パケット１の夫々の長手方向端縁部に沿って配置される。
【００３３】
２つの付加パネル１６の一方は、第２ヒンジ１８によって接続パネル１７だけヒンジ結合される一方で、他方の付加パネル１６は、第１ヒンジ８及び第２ヒンジ１８によって、蓋７と接続パネル１７の両方にヒンジ結合される。
【００３４】
言い換えると、蓋７と接続パネル１７は、同一の付加パネル１６にヒンジ結合される。
【００３５】
具体的には、第１ヒンジ８及び第２ヒンジ１８は、同じ付加パネル１６に対し、その両側に配置される。
【００３６】
第１ヒンジ８及び第２ヒンジ１８は、パケット１の伸長の長手方向に沿って互いに平行である。
【００３７】
図示しない実施形態では、付加パネル１６は、夫々の第２のヒンジ１８に沿って容器９に直接、ヒンジ結合される。従って、接続パネル１７は、両方のパネル１６上で対称的に存在するフラップによって置き換えられ、同フラップは、容器９において対応する大側壁１１に固定される。従って、第２ヒンジ１８は、容器９の蓋７に対しその反対側において、容器９の大側壁１１の長手方向端縁部に沿って配置される。第２ヒンジ１８に接触する夫々の容器９の小側壁１２の組は蓋７に対向するパケット１の側部６を構成する。この実施形態は、既に述べたように仮に単一の容器９が存在したり、或いは仮に、互いに向かい合う２つの大側壁１１の間に位置する固定手段によって２つの容器９が結合されるような場合に有効なものとなる。
【００３８】
２つの容器９は、接続パネル１７において外ラッパー１５に接続されており、より具体的には、夫々の小側壁１２において接続パネル１７に接続され、関連する大側壁１１において相互に接触している。
【００３９】
パケット１が閉鎖状態にある時、接続パネル１７に接続された小側壁１２とは反対側に位置する小側壁１７は、蓋７によって取り囲まれるように設計される。
【００４０】
特に図１を参照するに、パケット１が閉鎖状態にある時、付加パネル１６は夫々の容器９の大側壁１１と接触し、パケット１の後壁３と前壁２の双方を構成する。
【００４１】
より具体的には、２つの付加パネル１６は、これら２つの付加パネル１６の内の一方にヒンジ結合された蓋７の作用によって、各容器９の夫々の大側壁１１に接触した状態に維持される。この目的のために、付加パネル１６は実質上、容器９の大側壁１１と同じ寸法を有する。
【００４２】
パケット１が開放状態にあるとき、付加パネル１６は容器９から実質的に離れた位置に配置され、それらの容器は付加パネル１６の端部位置に対して中央位置に配置される。より詳しくは、付加パネル１６は、夫々の第２ヒンジ１８周りの回転によって容器９から逸脱する。
【００４３】
パケット１のこの開放形態は、消費者による容器９からのタバコの取り出しを容易にするだけでなく、各付加パネル１６のポケット１９内に収容された情報リーフレットへのアクセスを可能にする。
【００４４】
図７及び図８に示すように、パケット１の外ラッパー１５は実質的に矩形であって、関連する伸長の主要な軸線Ｌに沿って細長い１組のフラットブランク２０、２１から得られる。
【００４５】
ブランク２０、２１は、パケット１の外ラッパー１５を得ることができる２つの代替的実施形態のものである。
【００４６】
ブランク２０、２１を折り畳むことで外ラッパー１５を獲得した後においては、容器９（そのブランクは既知のものであるためここでは説明しない）が固定手段３７によって外ラッパー１５に固定される。より詳しくは、粘着性材質の帯３７がその固定手段を構成する。
【００４７】
図７を参照するに、ブランク２０は複数の縦方向弱め線８、１８と、複数の横方向弱め線２２、２３とを有し、それらは第１、第２及び第３パネル２４、２５、２６を形成する。
【００４８】
それにより、縦方向弱め線８、１８と横方向弱め線２２、２３は伸長の主要軸線Ｌに関連して定義される。
【００４９】
より具体的には、縦方向弱め線８、１８は、第１ヒンジ８と第２ヒンジ１８を夫々構成するように設計される。
【００５０】
具体的には、縦方向弱め線８から、軸線Ｌに対して実質上横方向に延びるのは、既知タイプの複数のパネルと各フラップであり、それらは折り畳まれるとパケット１の蓋７を構成するように設計される。
【００５１】
第１パネル２４及び第３パネル２６は夫々、横方向の弱め線２２を有し、ここから軸線Ｌに平行な方向に沿って関連するカバーパネル２７が延びる。
【００５２】
第１パネル２４及び第３パネル２６は夫々、横方向の弱め線２２を有し、ここから軸線Ｌに平行な方向に沿い、かつカバーパネル２７とは反対側に各フラップ２８が延びる。
【００５３】
カバーパネル２７とフラップ２８は、それらの表面上に粘着性材料の帯３７を有する。
【００５４】
カバーパネル２７は、それらが関係した横方向弱め線２２に沿って各パネル２４，２６の上に折り畳まれ、粘着性材料の帯３７によって後者に固定されるように設計されている。
【００５５】
ひとたびカバーパネル２７が折り畳まれて夫々パネル２４、２６上に固定されたならば、次いでフラップ２８が夫々、弱め線２３に沿って折り畳まれる。
【００５６】
フラップ２８は粘着性材料の帯３７によって夫々のカバーパネル２７に固定され、パケット１のポケット１９を形成する。
【００５７】
各カバーパネル２７と各フラップ２８に関係する第１パネル２４及び第３パネル２６は、付加パネル１６を構成する。第２パネル２５は接続パネル１７を形成するように設計されている。
【００５８】
尚、第２パネル２５は、ブランク２０が折り畳まれた時点で容器９を固定させる粘着性材料の帯３７を有していることに留意されたい。
【００５９】
図８に示されるブランク２１は、少なくとも部分的に、以下同じ参照符号で示したブランク２０と同じ特徴を持っている。より具体的に言えば、ブランク２１は、カバーパネル２７が第３パネル２６から延びているという点でブランク２０と異なっている。
【００６０】
カバーパネル２７は、第４弱め線２９によって第３パネル２６に直接接続されている。
【００６１】
接続パネル３０は、第５弱め線３１によってカバーパネル２７に接続されている。
【００６２】
別のカバーパネル２７は第６弱め線３２によって接続パネル３０に接続されている。
【００６３】
カバーパネル２７と接続パネル３０は、軸線Ｌの伸長方向に沿って、第１、第２及び第３パネル２４、２５、２６に沿って延びる。
【００６４】
この別実施形態において、弱め線８、１８は軸線Ｌに対し実質的に横断する形であるが、線２３は軸線Ｌに対して実質的に平行である。
【００６５】
より具体的には、第４、第５及び第６弱め線２９、３１、３２と弱め線８、１８は、伸長の軸線方向Ｌを横断する方向において、互いに平行となっている。
【００６６】
カバーパネル２７と接続パネル３０は、夫々の表面上に粘着性材料の帯３７を有している。
【００６７】
外ラッパー１５の付加パネル１６は、第１パネル２４と第３パネル２６の上に各カバーパネル２７が重なり合うように、カバーパネル２７を第４弱め線２９に沿って折り畳むことで得られ、外ラッパー１５の接続パネル１７は第２パネル２５上に接続パネル３０を重ね合わせることで得られる。
【００６８】
カバーパネル２７と接続パネル３０は、粘着性材料の帯３７により夫々のパネル２４、２６、２５に固定される。
【００６９】
この時点で、フラップ２８は各弱め線２３に沿って、関連したカバーパネル２７上に折り畳まれ、粘着性材料の帯３７によって後者に固定されてポケット１９を形成する。
【００７０】
各カバーパネル２７と各フラップ２８に関連付けられた第１パネル２４及び第３パネル２６は付加パネル１６を形成する。
【００７１】
接続パネル３０に関連付けられた第２パネル２５は接続パネル１７を形成する。
【００７２】
接続パネル３０は、パケット１の開閉時に変形するように設計されかつ包装材料の応力を補正する手段３３を有し、外ラッパー１５の包装材料中に気泡や皺が形成されるのを防いでいる。
【００７３】
より具体的には、補正手段３３は、接続パネル３０中に作られたスロットによって構成され、実質上メッシュとして形成された包装材料の帯を有する。
【００７４】
図３及び図４は第２実施形態としてタバコのパケット１００を示すものであり、それは前壁１０２と大後壁１０３、上壁１０４、下壁１０５及び２つの側部１０６を有する。
【００７５】
パケット１００は、第１ヒンジ１０８に沿ってヒンジ結合された蓋１０７を有し、それは閉鎖位置（図３に示す）と開放位置（図４に示す）との間、またはその逆の位置間で回転可能である。
【００７６】
蓋１０７は実質的に箱型であり、パケット１００の閉鎖位置では、上壁１０４、下壁１０５及び前壁１０２を部分的に覆って、パケットの側部１０６を形成する。
【００７７】
パケット１００の蓋１０７がヒンジ結合される第１ヒンジ１０８はパケット１００の後壁１０３に位置する。より具体的には、パケット１００の主要な長手方向の伸長を引用すれば、第１ヒンジ１０８と後壁１０３の長手方向端縁部の近傍に配置される。
【００７８】
パケット１００は少なくとも２つのタバコ容器１０９を備え、夫々が、正しく並べられたタバコの一群を有する。
【００７９】
各容器１０９は実質的に平行六面体の形状を有し、２つの大側壁１１１、２つの小側壁１１２、下壁１１３及び上壁１１４を有する。
【００８０】
好ましくは、正しく並べられたタバコ群を保護して品質や香りを維持するように、夫々の容器１０９はそれに関係した開閉蓋を有する。
【００８１】
パケット１００は、２つの容器１０９を包装するために設計された外ラッパー１１５を有する。
【００８２】
外ラッパー１１５は２つの付加パネル１１６を有する。より一般的には、パケット１００の別実施形態として、パケット１００の外ラッパー１１５は少なくとも２つの付加パネル１１６を有する。
【００８３】
蓋１０７は、第１ヒンジ１０８に沿って２つの付加パネル１１６の一方にヒンジ結合される。
【００８４】
外ラッパー１１５も又、２つの付加パネル１１６間に挟まれた接続パネル１１７を有する。より一般的には、パケット１００の別実施形態として、パケット１００の外ラッパー１１５は１つ以上の接続パネル１１７を有することができる。
【００８５】
２つの容器１０９は接続パネル１１７に接続されている。
【００８６】
接続パネル１１７は、弱め線（（第３ヒンジ線１３５）によって第１接続パネル１３８と第２接続パネル１３９の組に分割される。
【００８７】
具体的には、パケット１００の主要な長手方向の伸長を参照するに、第１接続パネル１３８は、第一の接続パネル１３８の長手方向端縁部に沿って配置される第３弱め線１３５に沿って共にヒンジ結合される。
【００８８】
夫々の第２接続パネル１３９は第１接続パネル１３８と連続しており、パネル１３８と共にエッジ１４０を形成する。
【００８９】
各容器１０９の大側壁１１１は、夫々の第１接続パネル１３８に接続される。
【００９０】
各容器１０９の小側壁１１２は、夫々の第１接続パネル１３９に接続されている。
【００９１】
２つの容器１０９は、接続パネル１１７において外側ラッパー１１５に接続され、特に各容器１０９は、関連する大側壁１１１と関連する小側壁１１２によって、第１接続パネル１３８及び第２接続パネル１３９に接続されるため、隣接する端縁部１４０は各容器１０９の長手方向端縁部であって大側壁１１１と小側壁１１２の間に位置する端縁部を複製したものである。
【００９２】
接続パネル１１７は、第２ヒンジ１１８によって夫々の付加パネル１１６にヒンジ結合される。
【００９３】
付加パネル１１６は共に、接続パネル１１７の両側において各第２ヒンジ１１８に沿って接続パネル１１７にヒンジ結合される。
【００９４】
より具体的には、第２ヒンジ１１８は、付加パネル１１６を夫々の第２接続パネル１３９に接続する。
【００９５】
パケット１００の長手方向の伸長を参照するに、各付加パネル１１６の第２ヒンジ１１８は夫々、パケット１００の長手方向端縁部に沿って配置される。
【００９６】
２つの付加パネル１１６の一方は、第１ヒンジ１０８によって接続パネル１１７だけにヒンジ結合され、他の付加パネル１１６は第１ヒンジ１０８と第２ヒンジ１１８により、蓋１０７と接続パネル１１７の双方にヒンジ結合される。
【００９７】
換言すれば、蓋１０７と接続パネル１３９は、同一の付加パネル１１６にヒンジ結合される。
【００９８】
具体的には、第１ヒンジ１０８及び第２ヒンジ１１８は、同じ付加パネル１１６の両側に配置されている。
【００９９】
第１ヒンジ１０８、第２ヒンジ１１８及び第３ヒンジ１３５は、パケット１００の伸長の長手方向に沿って互いに平行である。
【０１００】
パケット１００が閉鎖状態にある時、付加パネル１１６は、各容器１０９の夫々の大側壁１１１と接触する。このように、蓋１０７がヒンジ結合された追加パネル１１６はパケット１００の後壁１０３を構成する一方、接続パネル１１７だけにヒンジ結合された付加パネル１１６はパケット１００の前壁１０２を構成する。
【０１０１】
より具体的には、２つの付加パネル１１６は、２付加パネル１１６の一方にヒンジ結合された蓋１０７によって、各容器１０９の夫々の大側壁１１１に接触した状態で保持されている。この目的のために、付加パネル１１６は実質上、容器１０９の大側壁１１１と同じ寸法を有する。
【０１０２】
蓋１０７の反対側に位置する閉じパケット１００の側部１０６は、接続パネル１１７によって構成され、特に第２接続パネル１３９によって構成される。
【０１０３】
言い換えると、パケット１００の閉鎖状態において、第２接続パネル１３９はパケット１００の側部１０６を形成する。上壁１０４は容器１０９の上壁１１４によって形成され、下壁１０５は容器１０９の下壁１１３によって形成される。
【０１０４】
好ましくは、第１接続パネル１３８は夫々の外面上に固定手段１３７を有し、その手段は、パケット１００が閉じた状態においてパネル１３８同士が結合されかつ相互接触した状態を維持する。
【０１０５】
パケット１００を閉じた状態で第１接続パネル１３８を一緒に接続する固定手段があることで、最初に開口した際のパケット１００の安全性から消費者を保護するということに留意されたい。
【０１０６】
固定手段１３７は接着型のものであり、図９中に点線と参照番号１３６で示した再配置可能なタイプの接着剤を有することも可能である。
【０１０７】
パケット１００が開き状態にある時、付加パネル１１６は実質的に容器１０９から離れた位置に配置される。
【０１０８】
より具体的には、開きパケット１００は、中央位置に配置される容器１０９に対し付加パネル１１６が端位置に位置決めされるような“Ｗ”の形をとる。
【０１０９】
付加パネル１１６は第２ヒンジ１１８周りの回転によって容器１０９から離脱し、各容器１０９は第３ヒンジ１３５周りの回転によって夫々互いから分離する。
【０１１０】
パケット１００のこの開放形態は、消費者による容器１０９からのタバコの取り出しを容易にするだけでなく、図１及び図２を参照して説明したものと同様な方法を用い、各付加パネル１１６上にある情報リーフレットへのアクセスを可能にする。
【０１１１】
図９に示すように、パケット１００の外ラッパー１１５は、伸長の主要な軸線Ｌに沿って実質的に矩形なフラットブランク１２０から得られる。
【０１１２】
ブランク１２０を折り畳むことで外ラッパー１１５を獲得した後は、容器１０９（そのブランクは既知のものであるため、ここでは説明しない）が固定手段１３７によって外ラッパー１１５に固定される。より詳しくは、粘着性材質の帯１３７がその固定手段を構成する。
【０１１３】
ブランク１２０は複数の弱め線１０８、１１８、１４０、１３５を有し、それらは付加パネル１１６と第１及び第２パネル１３８、１３９を形成する。
【０１１４】
付加パネル１１６と第１接続パネル１３８及び第２接続パネル１３９は、各弱め線１０８、１１８、１４０、１３５によって互いに接続されており、軸線Ｌに平行な方向に沿って一直線状に延びる。
【０１１５】
弱め線１０８、１１８、１４０、１３５は、ブランク１２０の伸長の主要軸線Ｌに横断する方向に沿って、互いに平行である。
【０１１６】
弱め線１０８、１１８、１３５は、第１ヒンジ１０８、第２ヒンジ１１８及び第３ヒンジ１３５を夫々形成するように設計される。
【０１１７】
より具体的には、弱め線１０８から、また付加パネル１１６の反対側からは、既知タイプの複数パネルと夫々のフラップは延びており、それらは折り畳まれた時点で、パケット１００の蓋１０７を形成するように設計されている。
【０１１８】
弱め線１４０は、第１接続パネル１３８及び第２接続パネル１３９の隣接する端縁部を形成するように設計されている。
【０１１９】
好ましくは、第１接続パネル１３８及び第２接続パネル１３９は夫々、容器１０９を外ラッパー１１５のブランク１２０に固定させる粘着性材料の帯１３７を有する。
【０１２０】
図示しないがブランク１２０の別実施形態としては、カバーパネル及びフラップ（図示せず）を付加パネル１１６と関連付けさせ、図２に示されたものと同様の方法で作り、折り畳まれた時点でリーフレットを収容するように設計されたポケットを形成することも可能である。
【０１２１】
図５及び図６は第３の実施形態としての硬質タバコパケット２００を示すものであり、それは前壁２０２、大きな後壁２０３、上壁２０４、下壁２０５及び２つの側部２０６を有する。
【０１２２】
パケット２００は、第１ヒンジ２０８に沿ってヒンジ結合された蓋２０７を有し、それはパケット２００に対して閉鎖位置（図５に示す）と開放位置（図６に示す）との間、またはその逆の位置間で回転可能である。
【０１２３】
蓋２０７はタブの形態をとり、パケット２００の閉鎖位置では前壁２０２を部分的に覆って、パケット２００の上壁２０４を形成する。更に具体的には、蓋２０７は前壁２０２に作られた切り込み２１０に係入する。
【０１２４】
好ましくは、切り込み２１０は略Ｕ字状である。
【０１２５】
パケット２００の蓋２０７がヒンジ結合される第１ヒンジ２０８は、パケット２００の後壁２０３に配置される。具体的には、パケット２００の主要な長手方向伸長を参照するに、第１ヒンジ２０８は後壁２０３の横方向端縁部に沿って配置される。
【０１２６】
硬質のタバコパケット２００は２つの容器２０９を備え、夫々が、正しく並べられたタバコの一群を有する。
【０１２７】
その容器２０９は実質的に平行六面体の形状を有し、２つの大側壁２１１、２つの小側壁２１２、下壁２１３及び上壁２１４を有する。
【０１２８】
容器２０９の上壁２１４と蓋２０７がパケット２００の上壁２０４を構成し、下壁２１３がパケット２００の下壁２０５を構成する。
【０１２９】
好ましくは、正しく並べられたタバコ群を保護して品質や香りを維持するように、夫々の容器２０９はそれに関係した開閉蓋を有する。
【０１３０】
パケット２００は、２つの容器２０９を包装するために設計された外ラッパー２１５を有する。
【０１３１】
外ラッパー２１５は２つの付加パネル２１６を有する。より一般的には、パケット２００の別実施形態として、パケット２００の外ラッパー２１５は少なくとも２つの付加パネル２１６を有する。
【０１３２】
外ラッパー２１５は又、２つの付加パネル２１６の間に挟まれた中間パネル２３４を有する。
【０１３３】
中間パネル２３４は、第３ヒンジ２３５によって付加パネル２１６にヒンジ結合される。
【０１３４】
換言すれば、付加パネル２１６は共に、夫々の第３ヒンジ２３５ヒンジに沿って、中間パネル２３４の両側において中間パネル２３４にヒンジ結合される。
【０１３５】
外ラッパー２１５は又、２つの接続パネル２１７を有する。
【０１３６】
接続パネル２１７は、第２ヒンジ２１８によって夫々の付加パネル２１６にヒンジ結合される。
【０１３７】
２つの容器２０９は、夫々の接続パネル２１７に接続される。
【０１３８】
各接続パネル２１７は第１接続パネル２３８と第２接続パネル２３９に分割される。
【０１３９】
各第２接続パネル２３９は第１接続パネル２３８に隣接しており、それと共に端縁部２４０を形成する。
【０１４０】
２つの容器２０９は接続パネル２１７において外ラッパー２１５に接続され、特に各容器２０９の大側壁２１１は夫々の第１接続パネル２３８に接続され、各容器２０９の小側壁２１２は夫々の第２接続パネル２３９に接続される。
【０１４１】
各容器２０９は、関係する大側壁２１１と関係する小側壁２１２により第１パネル２３８及び第２接続パネル２３９に接続されるため、隣接する端縁部２４０は各容器２０９の大側壁２１１と小側壁２１２によって形成される長手方向端縁部を複製したものとなる。
【０１４２】
各第２接続パネル２３９は、第２ヒンジ２１８によって夫々の付加パネル２１６にヒンジ結合される。
【０１４３】
第２接続パネル２３９は、中間パネル２３４に対し反対側の位置から、夫々の付加パネル２１６にヒンジ結合される。詳しく言えば、夫々の付加パネル２１６は第２ヒンジ２１８と第３ヒンジ２３５を備える。
【０１４４】
パケット２００の主要な長手方向伸長を参照するに、各付加パネル２１６の第２ヒンジ２１８と第３ヒンジ２３５はパケット２００の長手方向端縁部に沿って夫々、配置される。より具体的には、第３ヒンジ２３５が付加パネル２１６を中間パネル２３４に接続し、第２ヒンジ２１８が第２接続パネル２３９を夫々の付加パネル２１６に接続している。
【０１４５】
蓋２０７は、第１ヒンジ２０８に沿って２つの付加パネル２１６の一方にヒンジ結合される。
【０１４６】
従って、２つの付加パネル２１６の一方は、第２ヒンジ２１８によって接続パネル２３９に、第３ヒンジ２３５によって中間パネル２３４にヒンジ結合される一方、他方の付加パネル２１６は、第１ヒンジ２０８、第２ヒンジ２１８及び第３ヒンジ２３５によって、蓋２０７、接続パネル２３９及び中間パネル２３４に夫々、ヒンジ結合される。
【０１４７】
第２ヒンジ２１８と第３ヒンジ２３５は、パケット２００の伸長の長手方向に平行な方向に沿って互いに平行である一方、既に述べたように、第１ヒンジ２０８はパケット２００の伸長の長手方向に横断する方向に沿って配置される。
【０１４８】
パケット２００の閉鎖状態において、付加パネル２１６は、夫々の容器２０９の大側壁２１１と接触する。このように、蓋２０７がヒンジ結合された追加パネル２１６はパケット２００の後壁２０３を構成する一方、他方の付加パネル２１６はパケット２００の前壁２０２を構成し、その部分に切り込み２００が存在する。
【０１４９】
蓋２０７と接続パネル２３９は同じ付加パネル２１６にヒンジ結合される。
【０１５０】
言い換えると、パケット２００の閉鎖状態において、第２接続パネル２３９はパケット２００の側部２０６を形成し、中間パネル２３４はパケット２００の他方の側部２０６を形成する。
【０１５１】
より具体的には、２つの付加パネル２１６の一方にヒンジ結合されかつ他方の付加パネル２１６にある切り込み２１０に係入される蓋２０７によって、２つの付加パネル２１６は各容器２０９の夫々の大側壁２１１に接触した状態に保持される。この目的のために、付加パネル２１６は容器２０９の大側壁２１１と実質的に同じ寸法を有する。
【０１５２】
パケット２００が開放状態にある時、付加パネル２１６は容器２０９から実質的に離れた位置に配置される。
【０１５３】
より具体的には、オープンパケット２００は、所謂“セパレ”形状（“区分パケット”又は“分割パケット”）を有し、そこでは容器２０９は付加パネル２１６に対して端位置に配置されると共に、接続パネル２１７に対しては中央位置に配置されている。換言すれば、付加パネル２１６は２つの容器２０９の間に挟まれている。
【０１５４】
第３ヒンジ２３５周りの回転により消費者はパケット２００が部分的に開口した状態、所謂“オーブンブック”の状態を得ることができ、そこでは夫々の大側壁２１１は依然として付加パネル２１６に接した状態で、各容器２０９は実質的に整列した位置に配置される。
【０１５５】
それに続く第２ヒンジ２１８周りの回転により、消費者はパケット２００が全開した状態を得ることができる。
【０１５６】
パケット２００のこの開放形態は、消費者による容器２０９からのタバコの取り出しを容易にするだけでなく、各付加パネル１１６上にある情報リーフレットへのアクセスを可能にする。
【０１５７】
所望なら、上述したものと同様な形で付加パネル２１６に情報リーフレットを付随させることも可能である。
【０１５８】
図１０に示すように、外ラッパー２１５は、伸長の主要な軸線Ｌに沿って細長く実質的に矩形なフラットブランク２２０から得られる。
【０１５９】
ブランク２２０を折り畳むことで外ラッパー１１５を獲得した後は、容器２０９（そのブランクは既知のものであるため、ここでは説明しない）が固定手段２３７によって外ラッパー２１５に固定される。詳しく言えば、粘着性材質の帯２３７がその固定手段を構成する。
【０１６０】
ブランク２２０は複数の縦方向弱め線２１８、２３５、２４０と、複数の横方向弱め線２２０を有し、それらは第１、第２及び第３パネル２２４、２２５、２２６と第１接続パネル２３８及び第２接続パネル２３９を形成する。
【０１６１】
第３パネル２２６は切り込み２１０を有する。
【０１６２】
第１、第２及び第３パネル２２４、２２５、２２６と第１接続パネル２３８及び第２接続パネル２３９は、夫々の縦方向弱め線２１８、２４０、２３５によって相互に接続されている。
【０１６３】
これにより、長手方向弱め線２１８、２４０、２３５は、ブランク２２０の伸長の主要軸線Ｌに平行であるものとして定義される。
【０１６４】
弱め線２１８、２３５は夫々、第２ヒンジ２１８と第３ヒンジ２３５を成すように設計される。
【０１６５】
弱め線２４０は、第１接続パネル２３８及び第２接続パネル２３９の隣接端縁部を成すように設計される。
【０１６６】
好ましくは、第１接続パネル２３８及び第２接続パネル２３９は夫々、粘着性材料の帯２３７を有する。
【０１６７】
第１、第２及び第３パネル２２４、２２５、２２６は、夫々、横方向の弱め線２２２を有しており、関連するカバーパネル２２７はそこから延びる。
【０１６８】
外ラッパー２１５の付加パネル２１６と中間パネル２３４は、第１パネル２２４上、第２パネル２２５上及び第３パネル２２６上に夫々のカバーパネル２２７を重ね合わせるようにして横方向弱め線２２２に沿ってカバーパネル２０７を折り畳むことで得られる。
【０１６９】
カバーパネル２２７は粘着性帯２３７によって夫々のパネル２２４、２２５、２２６に固定される。
【０１７０】
第１パネル２２４及び第３パネル２２６は、夫々のカバーパネル２２７が付随した形で付加パネル２１６を構成する。
【０１７１】
第２パネル２２５、夫々のカバーパネル２２７が付随した形で付加パネル２３４を構成する。
【０１７２】
第３ヒンジ２３５周りの回転を可能にするために、カバーパネル２２７の横方向寸法は、これらのパネルが当てられる夫々のパネル２２４、２２５、２２６の横方向寸法よりも若干小さいことに留意されたい。
【０１７３】
第１パネル２２４は横方向弱め線２０８を有する。
【０１７４】
横方向弱め線２０８から、また軸線Ｌに沿って付加パネル２１６の反対側からは、複数パネルが延びており、それらは折り畳まれた時点で、パケット２００の蓋２０７を形成するように設計されている。
【０１７５】
ブランク２２０を折り畳むことで外ラッパー２１５を作った後は、容器２０９（そのブランクは既知のものであるため、ここでは説明しない）が粘着性材質の帯２３７によって外ラッパー２１５に固定される。
【０１７６】
具体的には、各容器２０９の大側壁２１１は第１接続パネル２３８に固定され、各容器２０９の小側壁２１２は第２接続パネル２３９に固定される。
【０１７７】
上述したパケット１、１００、２００は、前述した従来技術の問題を解決すると共に様々な利点をもたらす。
【０１７８】
詳しく言えば、既知の自動梱包機に少しばかりの簡単な調整を施すことで製造できるため、パケット（１、１００、２００）は製造がシンプルかつ容易である。
【０１７９】
上述したパケット１によって提供される数多くの利点により、パケット（１、１００、２００）の形態は、例えばタバコのカートンや葉巻のパケットといったようなタバコ製品用としての他のタイプの硬質容器を製造することにも再現してもよい。
【図１】
2015527263.tif 000003
【図２】
2015527263.tif 000004
【図３】
2015527263.tif 000005
【図４】
2015527263.tif 000006
【図５】
2015527263.tif 000007
【図６】
2015527263.tif 000008
【図７】
2015527263.tif 000009
【図８】
2015527263.tif 000010
【図９】
2015527263.tif 000011
【図１０】
2015527263.tif 000012
【国際調査報告】
2015527263.tif 000013
2015527263.tif 000014